(57)【要約】      （修正有）【課題】ベッドライトに携帯電話のホルダを備え、ベットライト光と携帯電話の背景光を切り替え可能な多機能ランプを提供する。【解決手段】多機能ランプは、通常はベッドライトとして使用でき、ランプ台座１０とランプ台座１０の上側に設置されるホルダーロッド１１とを含み、ホルダーロッド１１とランプ台座１０とが回転できるように連結される。ホルダーロッド１１には、主固定板２１が設置され、主固定板２１の下端面にはライト１８が設置される。多機能ランプは携帯電話置きチャンバ２６を備え、下の開口を閉じ、上に開口させ、携帯電話に柔らかい背景光を提供することができる。【選択図】図１
2020181792.tif 000002
【特許請求の範囲】
【請求項１】
ランプ台座とランプ台座の上側に設置されるホルダーロッドとを含み、前記ホルダーロッドと前記ランプ台座とが回転できるように連結され、前記ホルダーロッドには主固定板が設置され、前記主固定板の下端面にはライトが設置され、前記主固定板の上端面には上方に開口している携帯電話置きチャンバが設置され、前記主固定板の中にはガイド溝が左右対称的に設置され、前記ガイド溝が外に開口しており、前記ガイド溝の上下壁の間には伸びロッドがスライドできるように設置され、前記伸びロッドのうち互いに離れている一端には弾性板が固定的に設置され、前記弾性板は弾性的な且つ光を通さない材質であり、前記弾性板が前記ライトを囲んで空きチャンバを形成し、前記弾性板のうち前記ライトに近接している片側は光を反射する材質であり、前記弾性板の中には収納チャンバが設置され、前記収納チャンバが向かい合って開口しており、前記収納チャンバの中には密封板がスライドできるように設置され、前記密封板の相対する一端には磁石が固定的に設置され、左右にある前記磁石が互いに近づく時に互いに吸引し合い、前記主固定板の中にはスライドチャンバが設置され、前記スライドチャンバが前後に対称的に設置され、前記スライドチャンバの中には遮りブロックがスライドできるように設置され、前後にある遮りブロックがそれぞれ前記弾性板の前後端と固定的に連結され、前記主固定板の中には前後に対称しており、且つ前記ガイド溝と連通している布収納チャンバが設置され、前記遮りブロックと伸びロッドとの間には前記布収納チャンバの中に位置しているスクリムが固定的に連結され、前記スクリムと前記弾性板とが固定的に連結され、ライトを使用して照明する時に、前記密封板を前記収納チャンバの中に収納し、前記空きチャンバを下に開口させ、前記ライトをつけて照明を行い、携帯電話ホルダーとして使用する時に、携帯電話を前記置きチャンバの中に置き、前記密封板を前記収納チャンバの中からスライドさせ、左右にある前記磁石が当接して互いに吸引し合い、左右にある前記密封板を固定的に連結させ、前記伸びロッドが互いに遠ざかり、それにより前記弾性板を外に広げて連動させ、前記空きチャンバを上に開口させ、前記弾性板が前記遮りブロックを互いに遠離連動させ、前記空きチャンバの前後側が光を漏れることを避け、前記スクリムが前記空きチャンバの開口を密封し、前記ライトが発する光は前記スクリムにより柔らかい光となり、その時、携帯電話を見る時に背景光があるので、目の負担が軽減されることを特徴とする多機能ランプ。
【請求項２】
前記主固定板の中にはモーターが設置され、前記モーターの左右両側にはねじが伝動できるように連結され、前記伸びロッドの中にはねじ山チャンバが設置され、前記ねじ山チャンバが向かい合って開口しており、前記ねじが前記ガイド溝の中に伸びて前記ねじ山チャンバとねじ山により連結され、前記モーターを起動する時に前記ガイド溝の回転により前記伸びロッドを移動させ、前記弾性板の外端面には前記収納チャンバを連通している下制御溝が設置され、前記下制御溝の中には手動制御ブロックがスライドできるように設置され、前記手動制御ブロックと前記密封板とが固定的に連結され、手動で前記手動制御ブロックを制御して前記密封板をスライドさせることができることを特徴とする請求項１に記載の多機能ランプ。
【請求項３】
前記ホルダーロッドの左端面には回転調節ロッドが回転できるように設置され、前記回転調節ロッドの左端には固定板が固定的に設置され、前記主固定板の前後端面にはスライドレールが設置され、前記スライドレールの中にはスライドブロックがスライドできるように設置され、前記スライドブロックのうち互いに離れている一端には支えロッドが固定的に設置され、前記支えロッドの右端と前記固定板とが固定的に連結され、前記回転調節ロッドと、前記ホルダーロッドとを回すことにより前記主固定板の角度を調整することを行い、また前記主固定板を引き動かすことにより適当な使用距離までに調整できることを特徴とする請求項１に記載の多機能ランプ。
【請求項４】
前記携帯電話置きチャンバの中には挟みブロックが前後対称的にスライドできるように設置され、前記挟みブロックと前記携帯電話置きチャンバの内壁の間にはバネが連結され、前記主固定板の上端面には上方に開口しているヘッドホン置き溝が設置され、前記ヘッドホン置き溝の左側が前記携帯電話置きチャンバと連通しており、前記ヘッドホン置き溝の右側が外部に連通しており、前記携帯電話置きチャンバの右壁の中にはプラグ収納チャンバが設置され、前記プラグ収納チャンバの前後内壁には位置制限ブロックが対称的に設置され、前記プラグ収納チャンバの中にはプラグ連結ブロックがスライドできるように設置され、前記プラグ連結ブロックの左端面には充電プラグが固定的に設置され、前記主固定板の上端面には前記プラグ収納チャンバと連通している上制御溝が設置され、前記上制御溝の中には前記プラグ連結ブロックと連結される充電制御ブロックがスライドできるように設置され、携帯電話を前記携帯電話置きチャンバの中に置く時に前記挟みブロックと、前記バネとにより携帯電話を挟み、ヘッドホンプラグが前記ヘッドホン置き溝の中に置くことができり、充電する必要がある時に、前記充電制御ブロックをスライドすることにより前記プラグ連結ブロックに前記充電プラグを携帯電話と連結連動させて充電を行うことを特徴とする請求項１に記載の多機能ランプ。
【発明の詳細な説明】
【技術分野】
【０００１】
本発明は照明器具分野に関わり、具体的には多機能ランプである。
【背景技術】
【０００２】
現代生活のリズムが速くなったため、人々は寝る前に携帯を見る習慣があり、その時は室内が暗いので、携帯電話がまぶしくなり、目に大きな負担をかけ、電気をつけたまま携帯を見ていると他の人に影響を与えやすくなり、上記の問題に対して、本装置が提案された。
【先行技術文献】
【特許文献】
【０００３】
【特許文献１】中国特許出願公開第106764599号明細書
【発明の概要】
【発明が解決しようとする課題】
【０００４】
本発明は多機能ランプを提供し、以上の背景技術にある欠点を解消することを目的とする。
【課題を解決するための手段】
【０００５】
本発明の多機能ランプは、ランプ台座とランプ台座の上側に設置されるホルダーロッドとを含み、前記ホルダーロッドと前記ランプ台座とが回転できるように連結され、前記ホルダーロッドには主固定板が設置され、前記主固定板の下端面にはライトが設置され、前記主固定板の上端面には上方に開口している携帯電話置きチャンバが設置され、前記主固定板の中にはガイド溝が左右対称的に設置され、前記ガイド溝が外に開口しており、前記ガイド溝の上下壁の間には伸びロッドがスライドできるように設置され、前記伸びロッドのうち互いに離れている一端には弾性板が固定的に設置され、前記弾性板は弾性的な且つ光を通さない材質であり、前記弾性板が前記ライトを囲んで空きチャンバを形成し、前記弾性板のうち前記ライトに近接している片側は光を反射する材質であり、前記弾性板の中には収納チャンバが設置され、前記収納チャンバが向かい合って開口しており、前記収納チャンバの中には密封板がスライドできるように設置され、前記密封板の相対する一端には磁石が固定的に設置され、左右にある前記磁石が互いに近づく時に互いに吸引し合い、前記主固定板の中にはスライドチャンバが設置され、前記スライドチャンバが前後に対称的に設置され、前記スライドチャンバの中には遮りブロックがスライドできるように設置され、前後にある遮りブロックがそれぞれ前記弾性板の前後端と固定的に連結され、前記主固定板の中には前後に対称しており、且つ前記ガイド溝と連通している布収納チャンバが設置され、前記遮りブロックと伸びロッドとの間には前記布収納チャンバの中に位置しているスクリムが固定的に連結され、前記スクリムと前記弾性板とが固定的に連結され、ライトを使用して照明する時に、前記密封板を前記収納チャンバの中に収納し、前記空きチャンバを下に開口させ、前記ライトをつけて照明を行い、携帯電話ホルダーとして使用する時に、携帯電話を前記置きチャンバの中に置き、前記密封板を前記収納チャンバの中からスライドさせ、左右にある前記磁石が当接して互いに吸引し合い、左右にある前記密封板を固定的に連結させ、前記伸びロッドが互いに遠ざかり、それにより前記弾性板を外に広げて連動させ、前記空きチャンバを上に開口させ、前記弾性板が前記遮りブロックを互いに遠離連動させ、前記空きチャンバの前後側が光を漏れることを避け、前記スクリムが前記空きチャンバの開口を密封し、前記ライトが発する光は前記スクリムにより柔らかい光となり、その時、携帯電話を見る時に背景光があるので、目の負担が軽減される。
【０００６】
さらなる技術プラントには、前記主固定板の中にはモーターが設置され、前記モーターの左右両側にはねじが伝動できるように連結され、前記伸びロッドの中にはねじ山チャンバが設置され、前記ねじ山チャンバが向かい合って開口しており、前記ねじが前記ガイド溝の中に伸びて前記ねじ山チャンバとねじ山により連結され、前記モーターを起動する時に前記ガイド溝の回転により前記伸びロッドを移動させ、前記弾性板の外端面には前記収納チャンバを連通している下制御溝が設置され、前記下制御溝の中には手動制御ブロックがスライドできるように設置され、前記手動制御ブロックと前記密封板とが固定的に連結され、手動で前記手動制御ブロックを制御して前記密封板をスライドさせることができる。
【０００７】
さらなる技術プラントには、前記ホルダーロッドの左端面には回転調節ロッドが回転できるように設置され、前記回転調節ロッドの左端には固定板が固定的に設置され、前記主固定板の前後端面にはスライドレールが設置され、前記スライドレールの中にはスライドブロックがスライドできるように設置され、前記スライドブロックのうち互いに離れている一端には支えロッドが固定的に設置され、前記支えロッドの右端と前記固定板とが固定的に連結され、前記回転調節ロッドと、前記ホルダーロッドとを回すことにより前記主固定板の角度を調整することを行い、また前記主固定板を引き動かすことにより適当な使用距離までに調整できる。
【０００８】
さらなる技術プラントには、前記携帯電話置きチャンバの中には挟みブロックが前後対称的にスライドできるように設置され、前記挟みブロックと前記携帯電話置きチャンバの内壁の間にはバネが連結され、前記主固定板の上端面には上方に開口しているヘッドホン置き溝が設置され、前記ヘッドホン置き溝の左側が前記携帯電話置きチャンバと連通しており、前記ヘッドホン置き溝の右側が外部に連通しており、前記携帯電話置きチャンバの右壁の中にはプラグ収納チャンバが設置され、前記プラグ収納チャンバの前後内壁には位置制限ブロックが対称的に設置され、前記プラグ収納チャンバの中にはプラグ連結ブロックがスライドできるように設置され、前記プラグ連結ブロックの左端面には充電プラグが固定的に設置され、前記主固定板の上端面には前記プラグ収納チャンバと連通している上制御溝が設置され、前記上制御溝の中には前記プラグ連結ブロックと連結される充電制御ブロックがスライドできるように設置され、携帯電話を前記携帯電話置きチャンバの中に置く時に前記挟みブロックと、前記バネとにより携帯電話を挟み、ヘッドホンプラグが前記ヘッドホン置き溝の中に置くことができり、充電する必要がある時に、前記充電制御ブロックをスライドすることにより前記プラグ連結ブロックに前記充電プラグを携帯電話と連結連動させて充電を行う。
【発明の効果】
【０００９】
以上のように、本発明はベッドライトとして枕元の棚に置くことができ、通常は普通のベッドライトとして使用することができ、寝る前に携帯電話を閲覧する必要がある時には、指定された位置に携帯電話を置くことができ、本発明は柔らかい背景光を提供することができ、且つ光は携帯電話の片側すなわち使用者側に向く側しか出なく、光が他の人に与える影響を回避することができる。
【図面の簡単な説明】
【００１０】
次に図１−６を合わせて本発明を詳しく説明し、意思の疎通にもっと便利なため、後文に出る方位を以下の通りに規定する：下記の上下左右前後の方向は図１自体の投影関係の上下左右前後の方向と一致している。
【００１１】
【図１】図１は本発明の多機能ランプの全体構成概略図
【図２】図２は図１のＡ−Ａの構成概略図
【図３】図３は図１のＢ−Ｂの構成概略図
【図４】図４は図１のＣ−Ｃの構成概略図
【図５】図５は図４のＤ−Ｄの構成概略図
【図６】図６は図１のＥの構成概略図
【発明を実施するための形態】
【００１２】
下記に附図を交え本発明の好ましい実施例を詳しく説明し、本発明の長所と特徴を本分野の技術者にもっとやすく理解させ、これにより本発明の保護範囲にもっと明確な画定を行う
【００１３】
図１−６を参考し、本発明の多機能ランプは、ランプ台座１０とランプ台座１０の上側に設置されるホルダーロッド１１とを含み、前記ホルダーロッド１１と前記ランプ台座１０とが回転できるように連結され、前記ホルダーロッド１１には主固定板２１が設置され、前記主固定板２１の下端面にはライト１８が設置され、前記主固定板２１の上端面には上方に開口している携帯電話置きチャンバ２６が設置され、前記主固定板２１の中にはガイド溝１９が左右対称的に設置され、前記ガイド溝１９が外に開口しており、前記ガイド溝１９の上下壁の間には伸びロッド１５がスライドできるように設置され、前記伸びロッド１５のうち互いに離れている一端には弾性板１４が固定的に設置され、前記弾性板１４は弾性的な且つ光を通さない材質であり、前記弾性板１４が前記ライト１８を囲んで空きチャンバ１７を形成し、前記弾性板１４のうち前記ライト１８に近接している片側は光を反射する材質であり、前記弾性板１４の中には収納チャンバ４６が設置され、前記収納チャンバ４６が向かい合って開口しており、前記収納チャンバ４６の中には密封板１６がスライドできるように設置され、前記密封板１６の相対する一端には磁石４７が固定的に設置され、左右にある前記磁石４７が互いに近づく時に互いに吸引し合い、前記主固定板２１の中にはスライドチャンバ３８が設置され、前記スライドチャンバ３８が前後に対称的に設置され、前記スライドチャンバ３８の中には遮りブロック２９がスライドできるように設置され、前後にある遮りブロック２９がそれぞれ前記弾性板１４の前後端と固定的に連結され、前記主固定板２１の中には前後に対称しており、且つ前記ガイド溝１９と連通している布収納チャンバ４９が設置され、前記遮りブロック２９と伸びロッド１５との間には前記布収納チャンバ４９の中に位置しているスクリム４０が固定的に連結され、前記スクリム４０と前記弾性板１４とが固定的に連結され、ライト１８を使用して照明する時に、前記密封板１６を前記収納チャンバ４６の中に収納し、前記空きチャンバ１７を下に開口させ、前記ライト１８をつけて照明を行い、携帯電話ホルダーとして使用する時に、携帯電話を前記置きチャンバ２６の中に置き、前記密封板１６を前記収納チャンバ４６の中からスライドさせ、左右にある前記磁石４７が当接して互いに吸引し合い、左右にある前記密封板１６を固定的に連結させ、前記伸びロッド１５が互いに遠ざかり、それにより前記弾性板１４を外に広げて連動させ、前記空きチャンバ１７を上に開口させ、前記弾性板１４が前記遮りブロック２９を互いに遠離連動させ、前記空きチャンバ１７の前後側が光を漏れることを避け、前記スクリム４０が前記空きチャンバ１７の開口を密封し、前記ライト１８が発する光は前記スクリム４０により柔らかい光となり、その時、携帯電話を見る時に背景光があるので、目の負担が軽減される。
【００１４】
有益的に、前記主固定板２１の中にはモーター２５が設置され、前記モーター２５の左右両側にはねじ２４が伝動できるように連結され、前記伸びロッド１５の中にはねじ山チャンバ２８が設置され、前記ねじ山チャンバ２８が向かい合って開口しており、前記ねじ２４が前記ガイド溝１９の中に伸びて前記ねじ山チャンバ２８とねじ山により連結され、前記モーター２５を起動する時に前記ガイド溝１９の回転により前記伸びロッド１５を移動させ、前記弾性板１４の外端面には前記収納チャンバ４６を連通している下制御溝４５が設置され、前記下制御溝４５の中には手動制御ブロック４４がスライドできるように設置され、前記手動制御ブロック４４と前記密封板１６とが固定的に連結され、手動で前記手動制御ブロック４４を制御して前記密封板１６をスライドさせることができる。
【００１５】
前記ホルダーロッド１１の左端面には回転調節ロッド１２が回転できるように設置され、前記回転調節ロッド１２の左端には固定板１３が固定的に設置され、前記主固定板２１の前後端面にはスライドレール４１が設置され、前記スライドレール４１の中にはスライドブロック４２がスライドできるように設置され、前記スライドブロック４２のうち互いに離れている一端には支えロッド２０が固定的に設置され、前記支えロッド２０の右端と前記固定板１３とが固定的に連結され、前記回転調節ロッド１２と、前記ホルダーロッド１１とを回すことにより前記主固定板２１の角度を調整することを行い、また前記主固定板２１を引き動かすことにより適当な使用距離までに調整できる。
【００１６】
有益的に、前記携帯電話置きチャンバ２６の中には挟みブロック３２が前後対称的にスライドできるように設置され、前記挟みブロック３２と前記携帯電話置きチャンバ２６の内壁の間にはバネ３０が連結され、前記主固定板２１の上端面には上方に開口しているヘッドホン置き溝２７が設置され、前記ヘッドホン置き溝２７の左側が前記携帯電話置きチャンバ２６と連通しており、前記ヘッドホン置き溝２７の右側が外部に連通しており、前記携帯電話置きチャンバ２６の右壁の中にはプラグ収納チャンバ３５が設置され、前記プラグ収納チャンバ３５の前後内壁には位置制限ブロック３６が対称的に設置され、前記プラグ収納チャンバ３５の中にはプラグ連結ブロック３４がスライドできるように設置され、前記プラグ連結ブロック３４の左端面には充電プラグ３３が固定的に設置され、前記主固定板２１の上端面には前記プラグ収納チャンバ３５と連通している上制御溝２３が設置され、前記上制御溝２３の中には前記プラグ連結ブロック３４と連結される充電制御ブロック２２がスライドできるように設置され、携帯電話を前記携帯電話置きチャンバ２６の中に置く時に前記挟みブロック３２と、前記バネ３０とにより携帯電話を挟み、ヘッドホンプラグが前記ヘッドホン置き溝２７の中に置くことができり、充電する必要がある時に、前記充電制御ブロック２２をスライドすることにより前記プラグ連結ブロック３４に前記充電プラグ３３を携帯電話と連結連動させて充電を行う。
【００１７】
前記多機能ランプの実現方法は、以下のステップを含む：
【００１８】
ライト１８を使用して照明する時に、手動で手動制御ブロック４４を操作して密封板１６を収納チャンバ４６の中に収納し、空きチャンバ１７を下に開口させ、ライト１８をつけて照明する。
【００１９】
携帯電話ホルダーとして使用する時に、回転調節ロッド１２と、ホルダーロッド１１とを回すことにより主固定板２１の角度を調整し、また主固定板２１を引き動かすことにより適当な使用距離を調整し、携帯電話を携帯電話置きチャンバ２６の中に置く時に挟みブロック３２と、バネ３０とにより携帯電話を挟み、ヘッドホンプラグがヘッドホン置き溝２７の中に置くことができ、充電する必要がある時に、充電制御ブロック２２をスライドすることによりプラグ連結ブロック３４に充電プラグ３３を携帯電話と連結連動させて充電を行い、手動で手動制御ブロック４４を制御して密封板１６を収納チャンバ４６の中からスライド連動させ、左右にある磁石４７が当接して互いに吸引し合い、左右にある密封板１６を固定的に連結させ、モーター２５を起動してねじ２４を回転連動させ、それにより伸びロッド１５を互いに遠離させて弾性板１４を外に広げて連動させ、空きチャンバ１７を上に開口させ、弾性板１４が遮りブロック２９を互いに遠離連動させ、空きチャンバ１７の前後側が光を漏れることを避け、スクリム４０が空きチャンバ１７の開口を密封することを行い、ライト１８が発する光はスクリム４０により柔らかい光となり、その時、携帯電話を見る時に背景光があるので、目に負担が軽減され、また、光が携帯電話の片側からしか出ないため、他の人への影響が少なくなった。
【００２０】
以上のように、本発明はベッドライトとして枕元の棚に置くことができ、通常は普通のベッドライトとして使用することができ、寝る前に携帯電話を閲覧する必要がある時には、指定された位置に携帯電話を置くことができ、本発明は柔らかい背景光を提供することができ、且つ光は携帯電話の片側すなわち使用者側に向く側しか出なく、光が他の人に与える影響を回避することができる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020181792.tif 000003
【図２】
2020181792.tif 000004
【図３】
2020181792.tif 000005
【図４】
2020181792.tif 000006
【図５】
2020181792.tif 000007
【図６】
2020181792.tif 000008
【手続補正書】
【提出日】令和1年11月8日(2019.11.8)
【手続補正１】
【補正対象書類名】特許請求の範囲
【補正対象項目名】請求項４
【補正方法】変更
【補正の内容】
【請求項４】
前記携帯電話置きチャンバの中には挟みブロックが前後対称的にスライドできるように設置され、前記挟みブロックと前記携帯電話置きチャンバの内壁の間にはバネが連結され、前記主固定板の上端面には上方に開口しているヘッドホン置き溝が設置され、前記ヘッドホン置き溝の左側が外部に連通しており、前記ヘッドホン置き溝の右側が前記携帯電話置きチャンバと連通しており、前記携帯電話置きチャンバの右壁の中にはプラグ収納チャンバが設置され、前記プラグ収納チャンバの前後内壁には位置制限ブロックが対称的に設置され、前記プラグ収納チャンバの中にはプラグ連結ブロックがスライドできるように設置され、前記プラグ連結ブロックの左端面には充電プラグが固定的に設置され、前記主固定板の上端面には前記プラグ収納チャンバと連通している上制御溝が設置され、前記上制御溝の中には前記プラグ連結ブロックと連結される充電制御ブロックがスライドできるように設置され、携帯電話を前記携帯電話置きチャンバの中に置く時に前記挟みブロックと、前記バネとにより携帯電話を挟み、ヘッドホンプラグが前記ヘッドホン置き溝の中に置くことができり、充電する必要がある時に、前記充電制御ブロックをスライドすることにより前記プラグ連結ブロックに前記充電プラグを携帯電話と連結連動させて充電を行うことを特徴とする請求項１に記載の多機能ランプ。
【手続補正２】
【補正対象書類名】明細書
【補正対象項目名】全文
【補正方法】変更
【補正の内容】
【発明の詳細な説明】
【技術分野】
【０００１】
本発明は照明器具分野に関わり、具体的には多機能ランプである。
【背景技術】
【０００２】
現代生活のリズムが速くなったため、人々は寝る前に携帯を見る習慣があり、その時は室内が暗いので、携帯電話がまぶしくなり、目に大きな負担をかけ、電気をつけたまま携帯を見ていると他の人に影響を与えやすくなり、上記の問題に対して、本装置が提案された。
【先行技術文献】
【特許文献】
【０００３】
【特許文献１】中国特許出願公開第１０６７６４５９９号明細書
【発明の概要】
【発明が解決しようとする課題】
【０００４】
本発明は多機能ランプを提供し、以上の背景技術にある欠点を解消することを目的とする。
【課題を解決するための手段】
【０００５】
本発明の多機能ランプは、ランプ台座とランプ台座の上側に設置されるホルダーロッドとを含み、前記ホルダーロッドと前記ランプ台座とが回転できるように連結され、前記ホルダーロッドには主固定板が設置され、前記主固定板の下端面にはライトが設置され、前記主固定板の上端面には上方に開口している携帯電話置きチャンバが設置され、前記主固定板の中にはガイド溝が左右対称的に設置され、前記ガイド溝が外に開口しており、前記ガイド溝の上下壁の間には伸びロッドがスライドできるように設置され、前記伸びロッドのうち互いに離れている一端には弾性板が固定的に設置され、前記弾性板は弾性的な且つ光を通さない材質であり、前記弾性板が前記ライトを囲んで空きチャンバを形成し、前記弾性板のうち前記ライトに近接している片側は光を反射する材質であり、前記弾性板の中には収納チャンバが設置され、前記収納チャンバが向かい合って開口しており、前記収納チャンバの中には密封板がスライドできるように設置され、前記密封板の相対する一端には磁石が固定的に設置され、左右にある前記磁石が互いに近づく時に互いに吸引し合い、前記主固定板の中にはスライドチャンバが設置され、前記スライドチャンバが前後に対称的に設置され、前記スライドチャンバの中には遮りブロックがスライドできるように設置され、前後にある遮りブロックがそれぞれ前記弾性板の前後端と固定的に連結され、前記主固定板の中には前後に対称しており、且つ前記ガイド溝と連通している布収納チャンバが設置され、前記遮りブロックと伸びロッドとの間には前記布収納チャンバの中に位置しているスクリムが固定的に連結され、前記スクリムと前記弾性板とが固定的に連結され、ライトを使用して照明する時に、前記密封板を前記収納チャンバの中に収納し、前記空きチャンバを下に開口させ、前記ライトをつけて照明を行い、携帯電話ホルダーとして使用する時に、携帯電話を前記置きチャンバの中に置き、前記密封板を前記収納チャンバの中からスライドさせ、左右にある前記磁石が当接して互いに吸引し合い、左右にある前記密封板を固定的に連結させ、前記伸びロッドが互いに遠ざかり、それにより前記弾性板を外に広げて連動させ、前記空きチャンバを上に開口させ、前記弾性板が前記遮りブロックを互いに遠離連動させ、前記空きチャンバの前後側が光を漏れることを避け、前記スクリムが前記空きチャンバの開口を密封し、前記ライトが発する光は前記スクリムにより柔らかい光となり、その時、携帯電話を見る時に背景光があるので、目の負担が軽減される。
【０００６】
さらなる技術プラントには、前記主固定板の中にはモーターが設置され、前記モーターの左右両側にはねじが伝動できるように連結され、前記伸びロッドの中にはねじ山チャンバが設置され、前記ねじ山チャンバが向かい合って開口しており、前記ねじが前記ガイド溝の中に伸びて前記ねじ山チャンバとねじ山により連結され、前記モーターを起動する時に前記ガイド溝の回転により前記伸びロッドを移動させ、前記弾性板の外端面には前記収納チャンバを連通している下制御溝が設置され、前記下制御溝の中には手動制御ブロックがスライドできるように設置され、前記手動制御ブロックと前記密封板とが固定的に連結され、手動で前記手動制御ブロックを制御して前記密封板をスライドさせることができる。
【０００７】
さらなる技術プラントには、前記ホルダーロッドの左端面には回転調節ロッドが回転できるように設置され、前記回転調節ロッドの左端には固定板が固定的に設置され、前記主固定板の前後端面にはスライドレールが設置され、前記スライドレールの中にはスライドブロックがスライドできるように設置され、前記スライドブロックのうち互いに離れている一端には支えロッドが固定的に設置され、前記支えロッドの右端と前記固定板とが固定的に連結され、前記回転調節ロッドと、前記ホルダーロッドとを回すことにより前記主固定板の角度を調整することを行い、また前記主固定板を引き動かすことにより適当な使用距離までに調整できる。
【０００８】
さらなる技術プラントには、前記携帯電話置きチャンバの中には挟みブロックが前後対称的にスライドできるように設置され、前記挟みブロックと前記携帯電話置きチャンバの内壁の間にはバネが連結され、前記主固定板の上端面には上方に開口しているヘッドホン置き溝が設置され、前記ヘッドホン置き溝の左側が外部に連通しており、前記ヘッドホン置き溝の右側が前記携帯電話置きチャンバと連通しており、前記携帯電話置きチャンバの右壁の中にはプラグ収納チャンバが設置され、前記プラグ収納チャンバの前後内壁には位置制限ブロックが対称的に設置され、前記プラグ収納チャンバの中にはプラグ連結ブロックがスライドできるように設置され、前記プラグ連結ブロックの左端面には充電プラグが固定的に設置され、前記主固定板の上端面には前記プラグ収納チャンバと連通している上制御溝が設置され、前記上制御溝の中には前記プラグ連結ブロックと連結される充電制御ブロックがスライドできるように設置され、携帯電話を前記携帯電話置きチャンバの中に置く時に前記挟みブロックと、前記バネとにより携帯電話を挟み、ヘッドホンプラグが前記ヘッドホン置き溝の中に置くことができり、充電する必要がある時に、前記充電制御ブロックをスライドすることにより前記プラグ連結ブロックに前記充電プラグを携帯電話と連結連動させて充電を行う。
【発明の効果】
【０００９】
以上のように、本発明はベッドライトとして枕元の棚に置くことができ、通常は普通のベッドライトとして使用することができ、寝る前に携帯電話を閲覧する必要がある時には、指定された位置に携帯電話を置くことができ、本発明は柔らかい背景光を提供することができ、且つ光は携帯電話の片側すなわち使用者側に向く側しか出なく、光が他の人に与える影響を回避することができる。
【図面の簡単な説明】
【００１０】
次に図１−６を合わせて本発明を詳しく説明し、意思の疎通にもっと便利なため、後文に出る方位を以下の通りに規定する：下記の上下左右前後の方向は図１自体の投影関係の上下左右前後の方向と一致している。
【００１１】
【図１】図１は本発明の多機能ランプの全体構成概略図
【図２】図２は図１のＡ−Ａの構成概略図
【図３】図３は図１のＢ−Ｂの構成概略図
【図４】図４は図１のＣ−Ｃの構成概略図
【図５】図５は図４のＤ−Ｄの構成概略図
【図６】図６は図１のＥの構成概略図
【発明を実施するための形態】
【００１２】
下記に附図を交え本発明の好ましい実施例を詳しく説明し、本発明の長所と特徴を本分野の技術者にもっとやすく理解させ、これにより本発明の保護範囲にもっと明確な画定を行う。
【００１３】
図１−６を参考し、本発明の多機能ランプは、ランプ台座１０とランプ台座１０の上側に設置されるホルダーロッド１１とを含み、前記ホルダーロッド１１と前記ランプ台座１０とが回転できるように連結され、前記ホルダーロッド１１には主固定板２１が設置され、前記主固定板２１の下端面にはライト１８が設置され、前記主固定板２１の上端面には上方に開口している携帯電話置きチャンバ２６が設置され、前記主固定板２１の中にはガイド溝１９が左右対称的に設置され、前記ガイド溝１９が外に開口しており、前記ガイド溝１９の上下壁の間には伸びロッド１５がスライドできるように設置され、前記伸びロッド１５のうち互いに離れている一端には弾性板１４が固定的に設置され、前記弾性板１４は弾性的な且つ光を通さない材質であり、前記弾性板１４が前記ライト１８を囲んで空きチャンバ１７を形成し、前記弾性板１４のうち前記ライト１８に近接している片側は光を反射する材質であり、前記弾性板１４の中には収納チャンバ４６が設置され、前記収納チャンバ４６が向かい合って開口しており、前記収納チャンバ４６の中には密封板１６がスライドできるように設置され、前記密封板１６の相対する一端には磁石４７が固定的に設置され、左右にある前記磁石４７が互いに近づく時に互いに吸引し合い、前記主固定板２１の中にはスライドチャンバ３８が設置され、前記スライドチャンバ３８が前後に対称的に設置され、前記スライドチャンバ３８の中には遮りブロック２９がスライドできるように設置され、前後にある遮りブロック２９がそれぞれ前記弾性板１４の前後端と固定的に連結され、前記主固定板２１の中には前後に対称しており、且つ前記ガイド溝１９と連通している布収納チャンバ４９が設置され、前記遮りブロック２９と伸びロッド１５との間には前記布収納チャンバ４９の中に位置しているスクリム４０が固定的に連結され、前記スクリム４０と前記弾性板１４とが固定的に連結され、ライト１８を使用して照明する時に、前記密封板１６を前記収納チャンバ４６の中に収納し、前記空きチャンバ１７を下に開口させ、前記ライト１８をつけて照明を行い、携帯電話ホルダーとして使用する時に、携帯電話を前記置きチャンバ２６の中に置き、前記密封板１６を前記収納チャンバ４６の中からスライドさせ、左右にある前記磁石４７が当接して互いに吸引し合い、左右にある前記密封板１６を固定的に連結させ、前記伸びロッド１５が互いに遠ざかり、それにより前記弾性板１４を外に広げて連動させ、前記空きチャンバ１７を上に開口させ、前記弾性板１４が前記遮りブロック２９を互いに遠離連動させ、前記空きチャンバ１７の前後側が光を漏れることを避け、前記スクリム４０が前記空きチャンバ１７の開口を密封し、前記ライト１８が発する光は前記スクリム４０により柔らかい光となり、その時、携帯電話を見る時に背景光があるので、目の負担が軽減される。
【００１４】
有益的に、前記主固定板２１の中にはモーター２５が設置され、前記モーター２５の左右両側にはねじ２４が伝動できるように連結され、前記伸びロッド１５の中にはねじ山チャンバ２８が設置され、前記ねじ山チャンバ２８が向かい合って開口しており、前記ねじ２４が前記ガイド溝１９の中に伸びて前記ねじ山チャンバ２８とねじ山により連結され、前記モーター２５を起動する時に前記ガイド溝１９の回転により前記伸びロッド１５を移動させ、前記弾性板１４の外端面には前記収納チャンバ４６を連通している下制御溝４５が設置され、前記下制御溝４５の中には手動制御ブロック４４がスライドできるように設置され、前記手動制御ブロック４４と前記密封板１６とが固定的に連結され、手動で前記手動制御ブロック４４を制御して前記密封板１６をスライドさせることができる。
【００１５】
前記ホルダーロッド１１の左端面には回転調節ロッド１２が回転できるように設置され、前記回転調節ロッド１２の左端には固定板１３が固定的に設置され、前記主固定板２１の前後端面にはスライドレール４１が設置され、前記スライドレール４１の中にはスライドブロック４２がスライドできるように設置され、前記スライドブロック４２のうち互いに離れている一端には支えロッド２０が固定的に設置され、前記支えロッド２０の右端と前記固定板１３とが固定的に連結され、前記回転調節ロッド１２と、前記ホルダーロッド１１とを回すことにより前記主固定板２１の角度を調整することを行い、また前記主固定板２１を引き動かすことにより適当な使用距離までに調整できる。
【００１６】
有益的に、前記携帯電話置きチャンバ２６の中には挟みブロック３２が前後対称的にスライドできるように設置され、前記挟みブロック３２と前記携帯電話置きチャンバ２６の内壁の間にはバネ３０が連結され、前記主固定板２１の上端面には上方に開口しているヘッドホン置き溝２７が設置され、前記ヘッドホン置き溝２７の左側が外部に連通しており、前記ヘッドホン置き溝２７の右側が前記携帯電話置きチャンバ２６と連通しており、前記携帯電話置きチャンバ２６の右壁の中にはプラグ収納チャンバ３５が設置され、前記プラグ収納チャンバ３５の前後内壁には位置制限ブロック３６が対称的に設置され、前記プラグ収納チャンバ３５の中にはプラグ連結ブロック３４がスライドできるように設置され、前記プラグ連結ブロック３４の左端面には充電プラグ３３が固定的に設置され、前記主固定板２１の上端面には前記プラグ収納チャンバ３５と連通している上制御溝２３が設置され、前記上制御溝２３の中には前記プラグ連結ブロック３４と連結される充電制御ブロック２２がスライドできるように設置され、携帯電話を前記携帯電話置きチャンバ２６の中に置く時に前記挟みブロック３２と、前記バネ３０とにより携帯電話を挟み、ヘッドホンプラグが前記ヘッドホン置き溝２７の中に置くことができり、充電する必要がある時に、前記充電制御ブロック２２をスライドすることにより前記プラグ連結ブロック３４に前記充電プラグ３３を携帯電話と連結連動させて充電を行う。
【００１７】
前記多機能ランプの実現方法は、以下のステップを含む：
【００１８】
ライト１８を使用して照明する時に、手動で手動制御ブロック４４を操作して密封板１６を収納チャンバ４６の中に収納し、空きチャンバ１７を下に開口させ、ライト１８をつけて照明する。
【００１９】
携帯電話ホルダーとして使用する時に、回転調節ロッド１２と、ホルダーロッド１１とを回すことにより主固定板２１の角度を調整し、また主固定板２１を引き動かすことにより適当な使用距離を調整し、携帯電話を携帯電話置きチャンバ２６の中に置く時に挟みブロック３２と、バネ３０とにより携帯電話を挟み、ヘッドホンプラグがヘッドホン置き溝２７の中に置くことができ、充電する必要がある時に、充電制御ブロック２２をスライドすることによりプラグ連結ブロック３４に充電プラグ３３を携帯電話と連結連動させて充電を行い、手動で手動制御ブロック４４を制御して密封板１６を収納チャンバ４６の中からスライド連動させ、左右にある磁石４７が当接して互いに吸引し合い、左右にある密封板１６を固定的に連結させ、モーター２５を起動してねじ２４を回転連動させ、それにより伸びロッド１５を互いに遠離させて弾性板１４を外に広げて連動させ、空きチャンバ１７を上に開口させ、弾性板１４が遮りブロック２９を互いに遠離連動させ、空きチャンバ１７の前後側が光を漏れることを避け、スクリム４０が空きチャンバ１７の開口を密封することを行い、ライト１８が発する光はスクリム４０により柔らかい光となり、その時、携帯電話を見る時に背景光があるので、目に負担が軽減され、また、光が携帯電話の片側からしか出ないため、他の人への影響が少なくなった。
【００２０】
以上のように、本発明はベッドライトとして枕元の棚に置くことができ、通常は普通のベッドライトとして使用することができ、寝る前に携帯電話を閲覧する必要がある時には、指定された位置に携帯電話を置くことができ、本発明は柔らかい背景光を提供することができ、且つ光は携帯電話の片側すなわち使用者側に向く側しか出なく、光が他の人に与える影響を回避することができる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。